(57)【要約】【課題】飲料容器が傾動した場合でも安定して保持することができる飲料容器保持具を提供する。【解決手段】飲料容器保持具は、フレーム部２０と受け部３０と収容部４０とを備える。フレーム部２０は２つの挿入孔２３を有し、同挿入孔２３には、付勢部材としての捻りコイルばね６０により上方向に付勢され、先端部５１ａ，５１ｂが挿入孔２３の内側に向かって突出するとともに、基端部５１ｂ，５２ｂがフレーム部２０に対して回動軸５３中心で回動可能に軸支される保持部材５１，５２が各挿入孔に配設されている。フレーム部２０は保持部材５１の上方向への回動の規制部としての端縁部２６を備えるとともに、保持部材５１は、上方向への回動を規制された状態では、保持部材５１の先端部５１ａ，５２ａが基端部５１ｂ，５２ｂより上方に位置するよう所定の角度を持った傾斜状態で配置されている。【選択図】      図５
2004161168.tif 000002
【特許請求の範囲】
【請求項１】
外径または幅の異なる各種飲料容器を挿入するための挿入孔が単数または複数形成されたフレーム部と、前記挿入孔に挿入された前記飲料容器を受ける受け部と、付勢部材により所定の基準位置となるよう付勢され、先端部が前記挿入孔の内側に向かって突出するとともに、基端部が前記フレーム部に対して回動軸を中心として回動可能に軸支される保持部材とを備えた飲料容器保持具において、
前記保持部材は、前記付勢部材により上方に回動するよう付勢されるとともに、前記フレーム部には、前記保持部材の前記先端部が前記基端部より上方に位置するよう、前期保持部材の回動を規制する規制部が設けられている
ことを特徴とする飲料容器保持具。
【請求項２】
前記保持部材は、水平線に対し、１度以上３０度以下の角度を持った傾斜状態で、前記先端部が前記基端部より上方に位置するように前記フレーム部の前記規制部により上方への回動が規制されていることを特徴とする請求項１に記載の飲料容器保持具。
【発明の詳細な説明】
【０００１】
【発明の属する技術分野】
本発明は、例えば、外径または幅が異なる種々の飲料容器を保持する飲料容器保持具に関するものである。
【０００２】
【従来の技術】
従来、この種の飲料容器保持具で、保持孔に挿入され、下部が受け部により保持されるカップホルダがあり、これによれば、容器の周壁を支持する押え部材はその回動軸より容器の周壁に当接する先端部が上方に位置している。（例えば、特許文献１参照）
【０００３】
【特許文献１】
特開２００２−２９３０２号公報
【０００４】
【発明が解決しようとする課題】
しかし、特許文献１において、押え部材はフラップと係合して一緒に回動し、フラップより上方には回動できるが、下方への回動は規制されて、所定位置より下方には回動できないようになっている。この場合、径の大きな容器を挿入しようとすれば、押え部材は所定位置より下方へは回動できないため、容器と押え部材とが干渉して、挿入できなくなる。このため、押え部材を、容器の挿入時に干渉しない位置まで上方に回動して挿入のための開口を大きくし、この位置で押え部材を保持していないと挿入ができない。
【０００５】
本発明は、このような従来の技術に存在する問題点に着目してなされたものである。その目的としては、飲料容器の外径または幅の大小に関わらず、挿入が容易で、かつ、安定した状態でその飲料容器をより確実に保持することができる飲料容器保持具を提供することにある。
【０００６】
【課題を解決するための手段】
【０００７】
前記目的を達成するために、飲料容器保持具に係る本願請求項１に記載の発明は、外径または幅の異なる各種飲料容器を挿入するための挿入孔が単数または複数形成されたフレーム部と、前記挿入孔に挿入された前記飲料容器を受ける受け部と、付勢部材により所定の基準位置となるよう付勢され、先端部が前記挿入孔の内側に向かって突出するとともに、基端部が前記フレーム部に対して回動軸を中心として回動可能に軸支される保持部材とを備えた飲料容器保持具において、前記保持部材は、前記付勢部材により上方に回動するよう付勢されるとともに、前記フレーム部には、前記保持部材の前記先端部が前記基端部より上方に位置するよう、前期保持部材の回動を規制する規制部を設けたことをその要旨としている。
【０００８】
この本願請求項１に記載の発明では、付勢部材で上方に回動するよう付勢された保持部材は、先端部が基端部より上方に位置するように傾斜して、フレーム部に設けた規制部で上方への回動を規制されているため、不意の衝撃等により収容された飲料容器が傾動してその側面が保持部材に衝接した時には、傾斜した状態で上方への回動が規制されている保持部材に対し平行あるいは平行に近い作用力が働くことになる。この場合、この作用力の垂直方向の分力（即ち、保持部材を付勢力に抗して下方へ回動させようとする力）は水平方向の分力に比して小さくすることができ、付勢部材により上方向に付勢されている保持部材は、この付勢力に抗して下方向へ回動しにくくなる。このため、飲料容器が傾動した場合においても、安定して保持することが可能となる。また、保持部材の先端部とこの先端部と対向する挿入孔の内周面との距離は、本飲料容器保持具での使用が想定される飲料容器の外径または幅より大きくされているため、飲料容器を挿入孔へ挿入するときには、飲料容器が保持部材と干渉せず極めて容易に挿入することができる。
【０００９】
また、本願請求項２に記載の発明は、前記保持部材は、水平線に対し、１度以上３０度以下の角度を持った傾斜状態で、前記先端部が前記基端部より上方に位置するように前記フレーム部の前記規制部により上方への回動が規制されていることを要旨とするものである。
【００１０】
この本願請求項２に記載の発明では、前記請求項１に記載の発明の作用に加え、保持部材を、水平線に対し１度以上３０度以下の角度を持った傾斜状態で、先端部が基端部より上方に位置するよう回動を規制しているため、外径または幅の異なる各種飲料容器に対し、飲料容器の傾動による保持部材への衝接による作用力の垂直方向への分力を極めて小さくすることができるため、更に安定して飲料容器を安定して保持することができる。
【００１１】
【発明の実施の形態】
以下に、本発明の飲料容器保持具を自動車の車室内に適用した一実施形態について、図１乃至図６を参照して説明する。
【００１２】
図１及び図２に示すように飲料容器保持具は、フレーム部２０と、受け部３０と、これらフレーム部２０と受け部３０とを収容する収容部４０とを備えている。
【００１３】
フレーム部２０は、方形状の平面部２１と、同平面部２１の周縁から下方に向かって突出する側壁部２２とを有している。平面部２１には円形状の挿入孔２３が２個形成されており、これら挿入孔２３の周縁の一部には、平面部２１から下方に向かって突出する周壁部２４が形成されている。
【００１４】
前記受け部３０は、フレーム部２０の平面部２１よりもやや小さな方形状に形成されており、フレーム部２０の各挿入孔２３と対応する位置に凹部３１を有している。そして、同凹部３１の底面が、前記フレーム部２０の挿入孔２３に挿入された飲料容器の載置面３２となる。また、受け部３０は、複数（この例では４本）のアーム３３を介してフレーム部２０に対して相対変位可能に支持されている。
【００１５】
前記収容部４０は、その垂直な一面に開口４１を有する箱形状をなしている。この収容部４０内には、前記フレーム部２０及び前記受け部３０が重合された状態で収容可能となっており、この収容部４０に対して、前記フレーム部２０は、水平方向に変位可能に支持されている。そして、収容部４０に収容された状態のフレーム部２０を矢印Ａの方向（図１参照）に変位させると、図２（ａ）に示すように、フレーム部２０の平面部２１が収容部４０の開口４１を介して表出する。このとき、受け部３０がフレーム部２０とともに引き出されるとともに、フレーム部２０から所定距離だけ下方に離間するように変位される。このようにして、飲料容器保持具が、飲料容器を保持可能な使用状態となる。
【００１６】
ここで、この挿入孔２３には、外径または幅の異なる各種飲料容器が挿入される。そして、この挿入された飲料容器は、受け部３０の凹部３１の載置面３２上に載置される。
【００１７】
逆に、前記使用状態にあるフレーム部２０を前記矢印Ａとは逆方向に変位させると、フレーム部２０が収容部４０内に挿入されていくに従って、アーム３３の作用により受け部３０がフレーム部２０に接近し、やがて図２（ｂ）に示すように、フレーム部２０と受け部３０とが重合される。そして、フレーム部２０及び受け部３０が、収容部４０内に収容されて、飲料容器保持具を、非使用状態とすることができる。
【００１８】
本実施形態では、図１及び図４に示すように、フレーム部２０の下面側には、保持部材５１，５２が各挿入孔２３に配設されている。
【００１９】
各保持部材５１，５２は、それらの先端部５１ａ，５２ａが前記フレーム部２０の挿入孔２３及び周壁部２４の内周面２５から内側に向かって突出するように配置されている。そして、各保持部材５１，５２は、フレーム部２０に対して、それらの基端部５１ｂ，５２ｂが各挿入孔２３につき１つの回動軸５３に枢支され、この回動軸を中心に回動可能に軸支されている。
【００２０】
各保持部材５１，５２は、図３及び図４に示すように、回動軸５３に巻着された付勢部材としての捻りコイルばね６０により上方に回動するよう付勢されるとともに、捻りコイルばね６０の付勢範囲内においては、フレーム部２０は、保持部材５１，５２の上面が当接することにより上方への回動が規制される規制部としての端縁部２６を備えている。
【００２１】
挿入孔２３に飲料容器を挿入する際に、捻りコイルばね６０の付勢力に抗して飲料容器の底部で保持部材５１，５２を下方向に押圧した場合に、捻りコイルばね６０を下方向へ回動可能なようにその付勢力が調整されている。
【００２２】
ここで、各保持部材５１，５２の上方への回動が規制された状態では、先端部５１ａ，５２ａが回動軸５３に軸支された基端部５１ｂ，５２ｂより上方に位置するように傾斜した状態で配置されている。本実施例においては、先端部５１ａ，５２ａと基端部５１ｂ，５２ｂとを結ぶ直線が、水平線より５度の傾斜となるように規制されているが、この傾斜の角度は１度以上３０度以下とすることが好ましい。
【００２３】
本実施形態では、規制部としては、フレーム部２０の端縁部２６を備えているが、先端部５１ａ，５２ａと基端部５１ｂ，５２ｂとの傾斜角度に応じてフレーム部２０の平面部２１の裏面側や側壁２２の内側に保持部材５１，５２の上面に当接して保持部材５１，５２の上方への回動を規制する突出部を設けることもできる。また、この規制部は、本実施形態では、フレーム部２０と一体に形成されているが、フレーム部２０とは別に設けた規制部材をフレーム部２０の所定位置に取り付けることで規制部を形成してもよい。
【００２４】
上述の構成を有するカップホルダでは、図５に示すように、挿入孔２３の上方からの飲料容器としてのペットボトル７０が挿入される。
【００２５】
ペットボトル７０は、前述の通り２個形成された挿入孔２３の一方あるいは両方に挿入可能であるが、図５の実施形態では、図１に示す左側の挿入孔２３にペットボトル７０を挿入した場合を示す。
【００２６】
ペットボトル７０は、断面が円形で、その直径ｄと、保持部材５１の先端部５１ａと、この先端部５１ａと対向する挿入孔２３の対向面２３ａとの距離Ｄは  Ｄ＞ｄ  とされている。
【００２７】
このペットボトル７０の挿入孔２３への挿入に際しては、上述の通り、ペットボトル７０の直径ｄが、保持部材５１の先端部５１ａと、この先端部５１ａと対向する挿入孔２３の対向面２３ａとの距離Ｄより小さくされているため、ペットボトル７０の底面が保持部材５１と干渉することなく挿入可能である。
【００２８】
挿入孔２３に挿入されたペットボトル７０は、通常状態ではその底面が載置面３２に載置され、保持部材５１ａには当接しないかあるいは当接する状態（図５では当接しない状態を示す。）で保持されており、保持部材５１は上述の通り、上面がフレーム部の規制部としての端縁部２６に当接して上方への回動は規制された状態である。
【００２９】
しかし、通常状態では垂直に保持されているペットボトル７０は、図６に示すように、自動車の走行時の振動等不意の衝撃により傾動することがある。このような場合には、ペットボトル７０の側面が保持部材５１の先端部５１ａに衝接し、保持部材５１には下方への回動力が作用する。
【００３０】
このような場合、保持部材５１は、上述の通り、回動が規制された状態では先端部５１ａが基端部５１ｂより上方となるよう傾斜して配置されているため、傾動するペットボトル７０の側面が先端部に衝接する時の保持部材５１に作用する力は保持部材５１に対して平行あるいは平行に近い作用力（図６の矢印Ｆ方向）となる。即ち、保持部材５１に対し、保持部材５１の先端部５１ａと基端部５１ｂとの傾きに対する平行方向への分力ｆ１（即ち、保持部材５１を収容具４０の奥方向へ押圧する作用力）は大きくなるが、垂直方向（即ち、保持部材５１の下方向への回動力）への分力ｆ２は小さくすることができる。
【００３１】
ここで、保持部材５１はその基端部５１ｂが回動軸５３に軸支されているため、分力ｆ１に対しては十分な耐久力を有するが、分力ｆ２は、捻りコイルばね６０の付勢力に抗して保持部材５１を下方向へ回動させる作用力となる。このため、分力ｆ２を小さくすることにより、保持部材５１を下方向へ回動させる作用力が小さくなり、傾動するペットボトル７０が保持部材５１の先端部５１ａに衝接しても保持部材５１は下方向に回動しにくくなり、ペットボトル７０を安定して確実に保持することが可能となる。
【００３２】
また、本実施形態においては、各挿入孔２３に対して１個の保持部材５１を設けたが、複数の保持部材５１を設けることも可能である。この場合は、以下のような各種の変形例が可能となる。
先端部と基端部との傾斜角度の異なる複数の保持部材を、一つの回動軸を共有し、飲料容器の挿入孔の内周面への突出量をそれぞれ異ならせて配置する。先端部と基端部との傾斜角度の異なる複数の保持部材を、保持部材の数と同数の回動軸を垂直方向に設け、それぞれの回動軸に保持部材の基端部を回動可能に軸支する。この場合、フレーム部における保持部材の上方への回動の規制部は、垂直方向の下方側に位置する保持部材については、フレームの側壁の下方側において保持
部材の当接部を設ける必要がある。
【００３３】
【発明の効果】
以上詳述したように、本願請求項１に記載の発明によれば、外径または幅の異なる各種飲料容器をスムーズに挿入孔内に挿入できるとともに、保持部材の先端部が基端部より上方となるよう傾斜状態で配置したため、飲料容器が不意の衝撃等により傾動して保持部材に衝接した場合でも、飲料容器の保持部材への作用力は保持部材を下方向の分力を水平方向の分力より小さくすることができるので、保持部材は下方向に回動しにくくなり、安定した状態で飲料容器を確実に保持することができる。
【００３４】
また、本願請求項２に記載の発明によれば、前記請求項１に記載の発明の効果に加えて、保持部材の先端部と基端部との傾斜角度を１度以上３０度以下としたので、飲料容器の傾動時の保持部材への下方向の分力を極めて小さくでき、より安定して確実な飲料容器の保持を実現することが可能となる。
【図面の簡単な説明】
【図１】本発明の飲料容器保持具の一実施形態を示す分解斜視図。
【図２】（ａ）は使用状態における図１の２―２線断面図、（ｂ）は収容状態における図１の２―２線に対応した断面図。
【図３】図１の４―４線断面図。
【図４】図１の３−３断面図。
【図５】本発明の飲料容器保持具の使用状態を示す説明図。
【図６】本発明の飲料容器保持具の使用状態で飲料容器の傾動状態を示す説明図
【符号の説明】
２０…フレーム部
２３…挿入孔
２６…規制部としての端縁部
３０…受け部
３２…載置面
３３…アーム
５１，５２…保持部材
５１ａ，５２ａ…先端部
５１ｂ，５２ｂ…基端部
５３…回動軸
６０…付勢部材としての捻りコイルばね
７０…飲料容器としてのペットボトル
【図１】
2004161168.tif 000003
【図２】
2004161168.tif 000004
【図３】
2004161168.tif 000005
【図４】
2004161168.tif 000006
【図５】
2004161168.tif 000007
【図６】
2004161168.tif 000008